(57)【要約】【課題】ゴルフプレイにおいて自分のプレイ状況を把握するのに十分な情報をプレイ中に簡単に入力することが出来、あとから各種のデータ解析が行えること。【解決手段】データ入力部と、該データの記憶部と、該データの解析処理を実行するプロセッサー部と、該解析処理の結果を表示する表示部を設けた電子手帳で、前記記憶部は、少なくとも暦情報と、コース情報と、ホール情報と、クラブ情報と、スイング位置情報と、スイング情報と、スイング結果情報と、パット情報を保持し、前記表示部には、少なくとも各ホールごとのクラブ情報と、スイング結果情報と、前記プロセッサー部で算出されたスコアを一覧表として表示させる。【選択図】図１
0003128456.tif 000002
【実用新案登録請求の範囲】
【請求項１】
ゴルフのショット情報を記録媒体に記録する記録装置であって、
少なくともクラブ情報と、スイング位置情報と、スイング情報と、スイング結果情報と、パット情報を
記録媒体に記録する記録装置。
【請求項２】
データ入力部と、該データの記憶部と、該データの解析処理を実行するプロセッサー部と、該解析処理の結果を表示する表示部を設けた電子手帳において、
前記記憶部は、
少なくとも暦情報と、コース情報と、ホール情報と、クラブ情報と、スイング位置情報と、スイング情報と、スイング結果情報と、パット情報を記憶することを特徴とする電子手帳。
【請求項３】
前記表示部には、
少なくとも各ホールのスイングごとにクラブ情報と、スイング結果情報と、
前記プロセッサー部で算出されたスコアを一覧表として表示させる
ことを特徴とする請求項１に記載の電子手帳。
【請求項４】
コンピュータを、
少なくとも入力されたゴルフプレイ日、コース名、気象情報、ホール情報と、
各ホールのスイングごとにクラブ情報と、スイング位置情報と、スイング情報と、スイング結果情報と、パット情報を記憶する手段、
あらかじめ入力されたスイング結果情報に対応させた罰打数を記憶する手段、
前記ショット情報と前記罰打数から各ホールのスコアを計算する手段、
表示部に少なくとも各ホールごとに前記スコアとショット数とクラブ情報を表示させる手段、
として機能させるためのゴルフスコア管理プログラム。
【考案の詳細な説明】
【技術分野】
【０００１】  本考案は、ゴルフスコアを管理するための電子手帳およびゴルフスコア管理プログラム並びにゴルフプレイ情報の記録装置に関するものである。
【背景技術】
【０００２】  ゴルフプレイで自分のゴルフプレイ状況を把握するものとして、ゴルフ場で用意されるスコアカード、またはこのスコアカードを数枚設けた手帳、あるいは各ホールの打数を入力し過去のプレイのスコアあるいはパット数を統計的に処理し表示する電子手帳がある。【０００３】  しかしこれらのストローク数あるいはパット数の情報のみでは自分のゴルフプレイ状況を的確に把握することが出来ないという問題があった。【０００４】
【実用新案文献１】
実開平６−７５５５１号
【実用新案文献１】
実開平６−７５５５１号
【考案の開示】
【考案が解決しようとする課題】
【０００５】
【０００６】  本考案は、自分のプレイ状況を把握するのに十分な情報をプレイ中に簡単に入力することが出来、あとから各種のデータ解析が行える電子手帳を提供しようとするものである。
また、クラブ等のショット情報を紙等の様々な媒体に記録する記録装置を提供するものである。
【課題を解決するための手段】
【０００７】  請求項１に記載の考案は、ゴルフのショット情報を記録媒体に記録する記録装置であって少なくともクラブ情報と、スイング位置情報と、スイング情報と、スイング結果情報と、パット情報を記録媒体に記録する記録装置に関するものである。【０００８】  請求項２に記載の考案は、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することを特徴とする。【０００９】  また、請求項３に記載の考案は、請求項１に記載の考案において、前記表示部には、少なくとも各ホールごとのクラブ情報と、スイング結果情報と、前記プロセッサー部で算出されたスコアを一覧表として表示させることを特徴とする。【００１０】  また、請求項４に記載の考案は、コンピュータを、少なくともゴルフプレイ日、コース名、気象情報、ホール情報と各ホールのスイングごとにショット情報としてクラブ情報と、スイング位置情報と、スイング情報と、スイング結果情報と、パット情報を入力し記憶する手段、あらかじめスイング結果情報に対応させた罰打数を入力し記憶する手段、前記ショット情報と前記罰打数から各ホールのスコアを計算する手段、表示部に少なくとも前記スコアとショット数とクラブ情報を表示させる手段、として機能させるためのゴルフスコア管理プログラムに関するものである。
【考案の効果】
【００１１】  請求項１に記載の考案によれば、ゴルフのショット情報を記録媒体に記録する記録装置であって少なくともクラブ情報と、スイング位置情報と、スイング情報と、スイング結果情報と、パット情報を様々な記録媒体に記録する記録装置からその情報をパソコン等に入力あるいは転送することによりプレイ後に様々なデータ解析が可能となる。【００１２】  請求項２に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することによりプレイ後に様々なデータ解析が可能となる。【００１３】  請求項３に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を保持する電子手帳の表示部には、少なくとも各ホールごとのクラブ情報と、スイング結果情報と、前記プロセッサー部で算出されたスコアを一覧表として表示させることでプレイ後に各ホールのプレイ結果を即座に把握することができる。【００１４】  請求項４に記載の考案によれば、コンピュータを、少なくともゴルフプレイ日、コース名、気象情報、ホール情報と各ホールのスイングごとにショット情報としてクラブ情報と、スイング位置情報と、スイング情報と、スイング結果情報と、パット情報を入力し記憶する手段、あらかじめスイング結果情報に対応させた罰打数を入力し記憶する手段、前記ショット情報と前記罰打数から各ホールのスコアを計算する手段、表示部に少なくとも前記スコアとショット数とクラブ情報を表示させる手段、として機能させるためのゴルフスコア管理プログラムを提供することにより現在市販されている電子手帳、ノート型パソコンあるいは携帯電話等の携帯機器に搭載することができる。
【考案を実施するための最良の形態】
【００１５】  請求項１に記載の考案によれば、ゴルフのショット情報を記録媒体に記録する記録装置であって少なくともクラブ情報と、スイング位置情報と、スイング情報と、スイング結果情報と、パット情報を様々な記録媒体に記録する記録装置からその情報をパソコン等に入力あるいは転送することによりプレイ後に様々なデータ解析が可能となる。【００１６】  請求項２に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することによりプレイ後に様々なデータ解析が可能となる。【００１７】  請求項３に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を保持する電子手帳の表示部には、少なくとも各ホールごとのクラブ情報と、スイング結果情報と、前記プロセッサー部で算出されたスコアを一覧表として表示させることでプレイ後に各ホールのプレイ結果を即座に把握することができる。【００１８】  請求項４に記載の考案によれば、コンピュータを、少なくともゴルフプレイ日、コース名、気象情報、ホール情報と各ホールのスイングごとにショット情報としてクラブ情報と、スイング位置情報と、スイング情報と、スイング結果情報と、パット情報を入力し記憶する手段、あらかじめスイング結果情報に対応させた罰打数を入力し記憶する手段、前記ショット情報と前記罰打数から各ホールのスコアを計算する手段、表示部に少なくとも前記スコアとショット数とクラブ情報を表示させる手段、として機能させるためのゴルフスコア管理プログラムを提供することにより現在市販されている電子手帳、ノート型パソコンあるいは携帯電話等の携帯機器に搭載することができる。
【実施例】
【００１９】  図１に本発明の構成図を示す。タッチペン入力により図２に示す暦情報２、気象情報を含んだコース情報３を、図３に示すショット情報１５及びパット情報９を、またあらかじめ罰打情報を記憶部１４に記録する。ここで上述のスイング情報１５はクラブ情報５、つま先下がり等のスイング位置情報６、トップあるいはダフリといったスイング情報７、ＯＢ、フェアーウエイあるいはハザードといったスイング結果情報８等を示している。【００２０】  図２に示すコース情報の入力は選択ボタン１８をタッチペンでクリックすることで三角マークをコース名に移動してコース情報入力をアクティブ状態にし、文字入力部１６にひらがなを入力した後変換ボタン１７をクリックして漢字、カタカナ、ローマ字、数字あるいは記号の候補を表示させ、確定ボタン１９をクリックして行う。【００２１】  また天候及び風情報は該当する項目の左側チェックボックスをタッチペンで触れることにより入力を行う。【００２２】  次に図３のホール情報の入力を説明する。各ホールの距離はＹＡＲＤボタン２２をタッチペンでクリックして画面内の三角マークをＹＡＲＤにあわせホール選択ボタン２０をクリックして所望のホール数を表示させた後、決定ボタン２４をクリックし、数値入力ボタン２２により所定の情報を入力する。なお、上記の各ボタン及び数値は本実施の形態では画面内に表示されたボタンを用いている。【００２３】  上述の入力された情報は記憶部１４に記録される。【００２４】  図４にクラブ情報５、スイング位置情報６、スイング情報７、スイング結果情報８、パット情報９の入力画面を示す。プレイヤーは表示されたボックスをタッチペンで入力することにより所望の情報を入力部１より記憶部１４に記録させることが出来る。【００２５】なお、上記の各情報は識別しやすいように文字色を異ならせている。【００２６】  入力が素早く出来るように入力項目の配置をクラブ情報５、スイング位置情報６、スイング情報７、スイング結果情報８、パット情報９ごとにまとめ、さらに実際のゴルフプレイではプレイの進行上素早い入力が求められることからタッチペン方式にしている。【００２７】  図４でＤＲはドライバー、ＰＴはパター、ＴＵはつま先上がり、ＢＵは前上がり、ＴＤはつま先下がり、ＢＤは前下がり、ＳＭは空振り、ＤＦはダフリ、ＴＰはトップ、ＳＬはスライス、ＦＫはフック、ＦＷはフェアーウエイ、ＲＯはラフ、ＢＫはバンカー、ＧＲがグリーン、ＯＢはアウトオブバーンズ、ＨＺはハザード、ＬＢはロストボール、ＰＬ４はプレイング４を示す。【００２８】  スイング数はホール数の下の数字横のボックスをタッチペンで触れることにより新しいスイングに対する入力画面が表示される。またクラブ情報などの同一項目では最初に３Ｗ左横のボックスがタッチペンにより入力され次に７Ｗ左横のボックスがタッチペンにより入力されればあとから入力された７Ｗを正しい情報として記録する。【００２９】  スイング結果情報８とパット情報９とスイング結果情報８と照合される罰打情報１０からプロセッサー部１１により演算を行い図５に示すプレイ結果を表示させる。プレイ結果はホール数、スコア数、各ショットごとのクラブとショットの結果を表として表示���ている。この結果は表示部に全画面表示あるいは拡大表示してタッチペンによりスクロールさせ全てのプレイ結果を見ることが出来る。【００３０】  ＯＢあるいはローカルルールのプレイング４等の場合はショット数のみを加え、図５に示すようにショット数下のクラブ情報及びスイング結果情報はブランク表示させ一目してミスが分かるように表示している。【００３１】  図６には解析結果の一例として縦軸に各ラウンド毎の平均パター数、横軸にプレイ日のグラフ表示を示している。これ以外にも多種の情報が入力されていることから通常知られているスコア、平均パット数等の様々なデータ解析が可能となる。【００３２】  本実施例ではＵＳＢといった外部出力端子により外部出力部１３よりプレイ情報をパソコンあるいはプリンター等に出力が出来、表計算プログラムによる解析あるいは紙出力が可能であるが本考案の必要構成ではない。【００３３】  図７には図１の機能を携帯電話等の機器で実現した他の実施例を示す。この例ではプレイ中に情報入力がスムーズに行えるようにキーを固定化している。本考案は少なくともクラブ情報と、スイング位置情報と、スイング情報と、スイング結果情報と、パット情報をプレイ中に容易に入力できる携帯機器を提供することを目的としており、ノート型パソコン等の携帯機器等を使用して入力することもできる。【００３４】  図８にはプレイ中にあらかじめ紙に印刷されたクラブ情報と、スイング位置情報と、スイング情報と、スイング結果情報と、パット情報を記録する手帳を示す。プレイヤーはこれらの情報をチェックボックスにマークすることで瞬時に入力できる。【００３５】プレイヤーはこの情報を解析するためにはあとからパソコン等に転写する必要はあるものの、ゴルフの上達のために必要な情報を記録媒体に記録する実施例として示している。
【図面の簡単な説明】
【００３６】
【図１】本実施形態における電子手帳の構成を示す図である。
【図２】本実施形態における電子手帳の気象情報等の入力画面を示す図である。
【図３】本実施形態における電子手帳のホール情報の入力画面を示す図である。
【図４】本実施形態における電子手帳のショット及びパター情報の入力画面を示す図である。
【図５】本実施形態における電子手帳のプレイ結果のディスプレイパネル表示を示す図である。
【図６】本実施形態における解析結果のディスプレイパネル表示を示す図である。
【図７】他の実施例としての電子手帳の入力部を示す。
【図８】紙手帳のプレイ情報記載面を示す。
【符号の説明】
【００３７】１    入力部
２    暦情報
３    コース情報
４    クラブ情報
５    スイング情報
６    スイング位置情報
７    スイング情報
８    スイング結果情報
９    パット情報
１０  罰打情報
１１  プロセッサー部
１２  表示部
１３  外部出力部
１４  記憶部
１５  ショット情報
【図１】
0003128456.tif 000003
【図２】
0003128456.tif 000004
【図３】
0003128456.tif 000005
【図４】
0003128456.tif 000006
【図５】
0003128456.tif 000007
【図６】
0003128456.tif 000008
【図７】
0003128456.tif 000009
【図８】
0003128456.tif 000010
【手続補正書】
【提出日】平成18年6月23日(2006.6.23)
【手続補正３】
【補正対象書類名】実用新案登録請求の範囲
【補正対象項目名】全文
【補正方法】変更
【補正の内容】
【実用新案登録請求の範囲】
【請求項１】
ゴルフのショット情報を記録する手帳であって、
少なくともクラブ情報と、スイング位置情報と、スイング情報と、スイング結果情報と、パット情報を記録する手帳。
【請求項２】
データ入力部と、該データの記憶部と、該データの解析処理を実行するプロセッサー部と、該解析処理の結果を表示する表示部を設けた電子手帳において、
前記記憶部は、
少なくとも暦情報と、コース情報と、ホール情報と、クラブ情報と、スイング位置情報と、スイング情報と、スイング結果情報と、パット情報を記憶することを特徴とする電子手帳。
【請求項３】
前記表示部には、
少なくとも各ホールのスイングごとにクラブ情報と、スイング結果情報と、前記プロセッサー部で算出されたスコアを一覧表として表示させる
ことを特徴とする請求項２に記載の電子手帳。
【請求項４】
入力部と出力部を設けた携帯装置において、
少なくとも入力されたゴルフプレイ日、コース名、気象情報、ホール情報と、各ホールのスイングごとにクラブ情報と、スイング位置情報と、スイング情報と、スイング結果情報と、パット情報を記憶する手段と、
あらかじめ入力されたスイング結果情報に対応させた罰打数を記憶する手段と、
前記ショット情報と前記罰打数から各ホールのスコアを計算する手段と、表示部に少なくとも各ホールごとに前記スコアとショット数とクラブ情報を表示させる手段と、
を備えた携帯装置。
【手続補正４】
【補正対象書類名】明細書
【補正対象項目名】全文
【補正方法】変更
【補正の内容】
【考案の詳細な説明】
【技術分野】
【０００１】本考案は、ゴルフスコアを記録するための手帳およびゴルフスコアを管理するための電子手帳並びに携帯装置に関するものである。
【背景技術】
【０００２】  ゴルフプレイで自分のゴルフプレイ状況を把握するものとして、ゴルフ場で用意されるスコアカード、またはこのスコアカードを数枚設けた手帳、あるいは各ホールの打数を入力し過去のプレイのスコアあるいはパット数を統計的に処理し表示する電子手帳がある。【０００３】  しかしこれらのストローク数あるいはパット数の情報のみでは自分のゴルフプレイ状況を的確に把握することが出来ないという問題があった。【０００４】
【実用新案文献１】
実開平６−７５５５１号
【実用新案文献１】
実開平６−７５５５１号
【０００５】
【考案の開示】
【考案が解決しようとする課題】
【０００６】  本考案は、自分のプレイ状況を把握するのに十分な情報をプレイ中に簡単に入力することが出来、あとから各種のデータ解析が行える電子手帳を提供しようとするものである。
また、クラブ等のショット情報を紙等の様々な媒体に記録する記録装置を提供するものである。
【課題を解決するための手段】
【０００７】請求項１に記載の考案は、ゴルフのショット情報を記録する手帳であって、少なくともクラブ情報と、スイング位置情報と、スイング情報と、スイング結果情報と、パット情報を記録する手帳に関するものである。【０００８】  請求項２に記載の考案は、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することを特徴とする。【０００９】  また、請求項３に記載の考案は、請求項２に記載の考案において、前記表示部には、少なくとも各ホールごとのクラブ情報と、スイング結果情報と、前記プロセッサー部で算出されたスコアを一覧表として表示させることを特徴とする。【００１０】また、請求項４に記載の考案は、入力部と出力部を設けた携帯装置において、少なくとも入力されたゴルフプレイ日、コース名、気象情報、ホール情報と、各ホールのスイングごとにクラブ情報と、スイング位置情報と、スイング情報と、スイング結果情報と、パット情報を記憶する手段と、あらかじめ入力されたスイング結果情報に対応させた罰打数を記憶する手段と、前記ショット情報と前記罰打数から各ホールのスコアを計算する手段と、表示部に少なくとも各ホールごとに前記スコアとショット数とクラブ情報を表示させる手段と、を備えた携帯装置に関するものである。
【考案の効果】
【００１１】請求項１に記載の考案によれば、ゴルフのショット情報を記録する手帳であって少なくともクラブ情報と、スイング位置情報と、スイング情報と、スイング結果情報と、パット情報を手帳の情報をパソコン等に入力することによりプレイ後に様々なデータ解析が可能となる。【００１２】  請求項２に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することによりプレイ後に様々なデータ解析が可能となる。【００１３】  請求項３に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を保持する電子手帳の表示部には、少なくとも各ホールごとのクラブ情報と、スイング結果情報と、前記プロセッサー部で算出されたスコアを一覧表として表示させることでプレイ後に各ホールのプレイ結果を即座に把握することができる。【００１４】請求項４に記載の考案によれば、入力部と出力部を設けた携帯装置に、少なくともゴルフプレイ日、コース名、気象情報、ホール情報と各ホールのスイングごとにショット情報としてクラブ情報と、スイング位置情報と、スイング情報と、スイング結果情報と、パット情報を入力し記憶する手段と、あらかじめスイング結果情報に対応させた罰打数を入力し記憶する手段と、前記ショット情報と前記罰打数から各ホールのスコアを計算する手段と、表示部に少なくとも前記スコアとショット数とクラブ情報を表示させる手段とを携帯装置に備えることにより電子手帳以外でも現在市販されているノート型パソコンあるいは携帯電話等で手軽にゴルフのショット情報を管理することができる。
【考案を実施するための最良の形態】
【実施例】
【００１５】  図１に本発明の構成図を示す。タッチペン入力により図２に示す暦情報２、気象情報を含んだコース情報３を、図３に示すショット情報１５及びパット情報９を、またあらかじめ罰打情報を記憶部１４に記録する。ここで上述のスイング情報１５はクラブ情報５、つま先下がり等のスイング位置情報６、トップあるいはダフリといったスイング情報７、ＯＢ、フェアーウエイあるいはハザードといったスイング結果情報８等を示している。【００１６】  図２に示すコース情報の入力は選択ボタン１８をタッチペンでクリックすることで三角マークをコース名に移動してコース情報入力をアクティブ状態にし、文字入力部１６にひらがなを入力した後変換ボタン１７をクリックして漢字、カタカナ、ローマ字、数字あるいは記号の候補を表示させ、確定ボタン１９をクリックして行う。【００１７】  また天候及び風情報は該当する項目の左側チェックボックスをタッチペンで触れることにより入力を行う。【００１８】  次に図３のホール情報の入力を説明する。各ホールの距離はＹＡＲＤボタン２２をタッチペンでクリックして画面内の三角マークをＹＡＲＤにあわせホール選択ボタン２０をクリックして所望のホール数を表示させた後、決定ボタン２４をクリックし、数値入力ボタン２２により所定の情報を入力する。なお、上記の各ボタン及び数値は本実施の形態では画面内に表示されたボタンを用いている。【００１９】  上述の入力された情報は記憶部１４に記録される。【００２０】  図４にクラブ情報５、スイング位置情報６、スイング情報７、スイング結果情報８、パット情報９の入力画面を示す。プレイヤーは表示されたボックスをタッチペンで入力することにより所望の情報を入力部１より記憶部１４に記録させることが出来る。【００２１】なお、上記の各情報は識別しやすいように文字色を異ならせている。【００２２】  入力が素早く出来るように入力項目の配置をクラブ情報５、スイング位置情報６、スイング情報７、スイング結果情報８、パット情報９ごとにまとめ、さらに実際のゴルフプレイではプレイの進行上素早い入力が求められることからタッチペン方式にしている。【００２３】  図４でＤＲはドライバー、ＰＴはパター、ＴＵはつま先上がり、ＢＵは前上がり、ＴＤはつま先下がり、ＢＤは前下がり、ＳＭは空振り、ＤＦはダフリ、ＴＰはトップ、ＳＬはスライス、ＦＫはフック、ＦＷはフェアーウエイ、ＲＯはラフ、ＢＫはバンカー、ＧＲがグリーン、ＯＢはアウトオブバーンズ、ＨＺはハザード、ＬＢはロストボール、ＰＬ４はプレイング４を示す。【００２４】  スイング数はホール数の下の数字横のボックスをタッチペンで触れることにより新しいスイングに対する入力画面が表示される。またクラブ情報などの同一項目では最初に３Ｗ左横のボックスがタッチペンにより入力され次に７Ｗ左横のボックスがタッチペンにより入力されればあとから入力された７Ｗを正しい情報として記録する。【００２５】  スイング結果情報８とパット情報９とスイング結果情報８と照合される罰打情報１０からプロセッサー部１１により演算を行い図５に示すプレイ結果を表示させる。プレイ結果はホール数、スコア数、各ショットごとのクラブとショットの結果を表として表示���ている。この結果は表示部に全画面表示あるいは拡大表示してタッチペンによりスクロールさせ全てのプレイ結果を見ることが出来る。【００２６】  ＯＢあるいはローカルルールのプレイング４等の場合はショット数のみを加え、図５に示すようにショット数下のクラブ情報及びスイング結果情報はブランク表示させ一目してミスが分かるように表示している。【００２７】  図６には解析結果の一例として縦軸に各ラウンド毎の平均パター数、横軸にプレイ日のグラフ表示を示している。これ以外にも多種の情報が入力されていることから通常知られているスコア、平均パット数等の様々なデータ解析が可能となる。【００２８】  本実施例ではＵＳＢといった外部出力端子により外部出力部１３よりプレイ情報をパソコンあるいはプリンター等に出力が出来、表計算プログラムによる解析あるいは紙出力が可能であるが本考案の必要構成ではない。【００２９】  図７には図１の機能を携帯電話等の機器で実現した他の実施例を示す。この例ではプレイ中に情報入力がスムーズに行えるようにキーを固定化している。本考案は少なくともクラブ情報と、スイング位置情報と、スイング情報と、スイング結果情報と、パット情報をプレイ中に容易に入力できる携帯機器を提供することを目的としており、ノート型パソコン等の携帯機器等を使用して入力することもできる。【００３０】  図８にはプレイ中にあらかじめ紙に印刷されたクラブ情報と、スイング位置情報と、スイング情報と、スイング結果情報と、パット情報を記録する手帳を示す。プレイヤーはこれらの情報をチェックボックスにマークすることで瞬時に入力できる。【００３１】プレイヤーはこの情報を解析するためにはあとからパソコン等に転写する必要はあるものの、ゴルフの上達のために必要な情報を記録媒体に記録する実施例として示している。
【図面の簡単な説明】
【００３２】
【図１】本実施形態における電子手帳の構成を示す図である。
【図２】本実施形態における電子手帳の気象情報等の入力画面を示す図である。
【図３】本実施形態における電子手帳のホール情報の入力画面を示す図である。
【図４】本実施形態における電子手帳のショット及びパター情報の入力画面を示す図である。
【図５】本実施形態における電子手帳のプレイ結果のディスプレイパネル表示を示す図である。
【図６】本実施形態における解析結果のディスプレイパネル表示を示す図である。
【図７】他の実施例としての電子手帳の入力部を示す。
【図８】紙手帳のプレイ情報記載面を示す。
【符号の説明】
【００３３】  １  入力部
２  暦情報
３  コース情報
４  クラブ情報
５  スイング情報
６  スイング位置情報
７  スイング情報
８  スイング結果情報
９  パット情報
１０  罰打情報
１１  プロセッサー部
１２  表示部
１３  外部出力部
１４  記憶部
１５  ショット情報
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
データ入力部と、該データの記憶部と、該データの解析処理を実行するプロセッサー部と、該解析処理の結果を表示する表示部を設けた電子手帳において、
前記記憶部は、
少なくとも暦情報と、コース情報と、ホール情報と、クラブ情報と、スイング位置情報と、スイング情報と、スイング結果情報と、パット情報を記憶することを特徴とする電子手帳。
【請求項２】
前記表示部には、
少なくとも各ホールのスイングごとにクラブ情報と、スイング結果情報と、前記プロセッサー部で算出されたスコアを一覧表として表示させる
ことを特徴とする請求項２に記載の電子手帳。
【請求項３】
入力部と出力部を設けた携帯装置において、
少なくとも入力されたゴルフプレイ日、コース名、気象情報、ホール情報と、各ホールのスイングごとにクラブ情報と、スイング位置情報と、スイング情報と、スイング結果情報と、パット情報を記憶する手段と、
あらかじめ入力されたスイング結果情報に対応させた罰打数を記憶する手段と、
前記ショット情報と前記罰打数から各ホールのスコアを計算する手段と、表示部に少なくとも各ホールごとに前記スコアとショット数とクラブ情報を表示させる手段と、
を備えた携帯装置。
【手続補正３】
【補正対象書類名】明細書
【補正対象項目名】０００１
【補正方法】変更
【補正の内容】
【０００１】  本考案は、ゴルフスコアを管理するための電子手帳並びに携帯装置に関するものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】  請求項１に記載の考案は、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することを特徴とする。
【手続補正６】
【補正対象書類名】明細書
【補正対象項目名】０００９
【補正方法】変更
【補正の内容】
【０００９】  また、請求項２に記載の考案は、請求項２に記載の考案において、前記表示部には、少なくとも各ホールごとのクラブ情報と、スイング結果情報と、前記プロセッサー部で算出されたスコアを一覧表として表示させることを特徴とする。
【手続補正７】
【補正対象書類名】明細書
【補正対象項目名】００１０
【補正方法】変更
【補正の内容】
【００１０】  また、請求項３に記載の考案は、入力部と出力部を設けた携帯装置において、少なくとも入力されたゴルフプレイ日、コース名、気象情報、ホール情報と、各ホールのスイングごとにクラブ情報と、スイング位置情報と、スイング情報と、スイング結果情報と、パット情報を記憶する手段と、あらかじめ入力されたスイング結果情報に対応させた罰打数を記憶する手段と、前記ショット情報と前記罰打数から各ホールのスコアを計算する手段と、表示部に少なくとも各ホールごとに前記スコアとショット数とクラブ情報を表示させる手段と、を備えた携帯装置に関するものである。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】  請求項１に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を記憶することによりプレイ後に様々なデータ解析が可能となる。
【手続補正１０】
【補正対象書類名】明細書
【補正対象項目名】００１３
【補正方法】変更
【補正の内容】
【００１３】  請求項２に記載の考案によれば、データ入力部と、該データの記憶部と、該データの解析処理を実行するプロセッサー部と、該解析処理の結果を表示する表示部を設けた電子手帳において、前記記憶部は、少なくとも暦情報と、コース情報と、ホール情報と、クラブ情報と、スイング位置情報と、スイング情報と、スイング結果情報と、パット情報を保持する電子手帳の表示部には、少なくとも各ホールごとのクラブ情報と、スイング結果情報と、前記プロセッサー部で算出されたスコアを一覧表として表示させることでプレイ後に各ホールのプレイ結果を即座に把握することができる。
【手続補正１１】
【補正対象書類名】明細書
【補正対象項目名】００１４
【補正方法】変更
【補正の内容】
【００１４】  請求項３に記載の考案によれば、入力部と出力部を設けた携帯装置に、少なくともゴルフプレイ日、コース名、気象情報、ホール情報と各ホールのスイングごとにショット情報としてクラブ情報と、スイング位置情報と、スイング情報と、スイング結果情報と、パット情報を入力し記憶する手段と、あらかじめスイング結果情報に対応させた罰打数を入力し記憶する手段と、前記ショット情報と前記罰打数から各ホールのスコアを計算する手段と、表示部に少なくとも前記スコアとショット数とクラブ情報を表示させる手段とを携帯装置に備えることにより電子手帳以外でも現在市販されているノート型パソコンあるいは携帯電話等で手軽にゴルフのショット情報を管理することができる。